(57)【要約】      （修正有）【課題】ドラム打面ヘッドの中心位置（以下打点と称する）ＤＴを中心にドラムの角度を調整出来るドラムスタンドを提供する。【解決手段】湾曲状の回動部材１４が、回動部材ガイド部１３により保持され、移動かつ固定出来るように構成される。回動部材１４の回動の中心の位置が、打点ＤＴと一致することにより、打点ＤＴを中心にしてドラムの角度を調整可能にした。上記構成によれば、演奏者がドラムの角度を調整した後に再び水平方向に打点ＤＴの位置を調整する煩わしさが無いため、快適性が高い。【選択図】図１
0003150441.tif 000002
【実用新案登録請求の範囲】
【請求項１】
湾曲状の回動部材を有し、その湾曲状の回動部材の回動の中心が、ドラム打面ヘッドの中心位置と一致し、回動部材が回動部材ガイドにより保持され、移動かつ固定出来る構成であることを特徴とするドラムスタンド。
【考案の詳細な説明】
【技術分野】
【０００１】本発明は、ドラムの角度を調節することが出来る、ドラムスタンドに関するものである。
【背景技術】
【０００２】従来のドラムスタンドには、図２のように球受け部材の緊締弛緩により自在に角度調整可能で、またロッド２４の緊締弛緩により水平方向の位置の調整が出来るようにしたものがある。（特許文献１、非特許文献１参照）
他には、２つの軸が同時に緊締弛緩されることにより、全方位自在に角度調整出来るようにしたものが販売されている。（非特許文献２参照）
【先行技術文献】
【特許文献】
【０００３】
【特許文献１】登録実用新案第３０１４４８３号
【非特許文献】
【０００４】
【非特許文献１】ＴＡＭＡ  ＤＲＵＭＳ  ＡＮＤ  ＨＡＲＤＷＡＲＥ  ２００８−２００９  星野楽器製造株式会社  ２００８年  ｐ．５２  Ａｉｒ  Ｒｉｄｅ  Ｓｎａｒｅ  Ｓｔａｎｄ
【非特許文献２】ＰＥＡＲＬ  ＤＲＵＭＳ  ａｎｄ  Ｐｅａｒｌ  ＰｅｒｃｕｓｓｉｏｎＧｅｎｅｒａｌ  Ｃａｔａｌｏｇ  ２００８／２００９  パール楽器製造株式会社  ２００８年  ｐ．３７〜３８  ＳＮＡＲＥ  ＳＴＡＮＤＳ  ジャイロロック・チルティングシステム
【考案の概要】
【考案が解決しようとする課題】
【０００５】上記のようなドラムスタンドでは、角度を調整した後、ドラム打面ヘッドの中心点（以下打点と称する）ＤＴが動いてしまうため、スタンド全体を動かすか、図２のようにロッド２４の位置を調整する（登録実用新案第３０１４４８３号）などして、再び水平方向に位置を調整しなければない。これは、角度調整の回転の中心ＫＴが、打点ＤＴの下側に離れた位置にあるためである。本考案は、このような従来のドラムスタンドの機構が有していた問題を解決しようとするものであり、打点ＤＴを中心にドラムの角度を調整可能にすることを目的とする。
【課題を解決するための手段】
【０００６】本考案は上記目的を達成するために、湾曲状の回動部材１４と、回動部材ガイド部１３を有し、回動部材１４の回動の中心の位置が、ドラムの打点ＤＴと一致することにより、打点ＤＴを中心にしてドラムの角度を調整可能にしたものである。
【考案の効果】
【０００７】上述したように、本考案のドラムスタンドは、打点ＤＴを中心にドラムの角度を調整することが可能であり、演奏者が、角度を調整した後に再び水平方向に打点ＤＴの位置を調整する煩わしさが無いため、快適性が高い。
【図面の簡単な説明】
【０００８】
【図１】本考案の実施例を示す斜視図である。
【図２】従来のドラムスタンドの実施例を示す正面図である。
【図３】従来のドラムスタンドの実施例を示す正面図である。
【図４】本考案の実施例を示す正面図である。
【図５】本考案の実施例を示す正面図である。
【考案を実施するための形態】
【０００９】支持アーム２１上に設置されたドラムＳＤは、回動部材１４が回動部材ガイド部１３に対して移動かつ固定できることにより、角度を調整することが出来る。回動部材１４が回動部材ガイド部１３に対して移動しても、回動部材１４の回動の中心の位置は一定で、打点ＤＴと一致しているため、打点ＤＴを中心にドラムＳＤの角度を調整することが可能となる。
【実施例】
【００１０】以下添付の図面に従ってこの考案を説明する。
図１はこの考案に係わるドラムスタンドの一実施例を示す。ドラムスタンド１は、図１において上側を上方とし、下側を下方とする。
本実施例のドラムスタンド１は、スタンド本体部２、角度調節部３、ドラム保持部４の各部によって構成されている。【００１１】スタンド本体部２の構成を説明する。スタンド本体部２は、床面上に設置される高さ調節自在な下部パイプ５を備えている。
下部パイプ５は開脚自在な三本の脚６と、下端が前記脚６およびステー７の一端に固定された略垂直な下部パイプ５と、この下部パイプ５に伸縮かつ回動自在に挿入連結した可動パイプ８と、この可動パイプ８を下部パイプ５に対して任意の高さに固定する蝶ナット９とで構成されている。下部パイプ５の下端に環状体１０が固定され、その環状体１０にステー７が回動可能に取り付けられる。ステー７の他端は脚６の中央部に回動可能に取り付けられ、その脚６は環状体１１に回動可能に取り付けられる。環状体１１は、下部パイプ５に対して挿通され、下部パイプに対して上下動することが出来る。環状体１１を下部パイプ５に固定するために、蝶ナット１２が取り付けられている。【００１２】角度調節部３の構成を説明する。可動パイプ８の上端には回動部材ガイド１３が固定されており、この回動部材ガイド部１３に、回動部材１４を緊締弛緩可能に配設する。この回動部材１４を、回動部材ガイド部１３に対して任意の位置に固定するように蝶ナット１５が構成されている。回動部材１４の一端には、接続アーム１６が固定されている。回動部材１４の他端には、ストッパー１７が固定されている。【００１３】ドラム保持部４の構成を説明する。上記接続アーム１６とドラム支持側パイプ１８が固定され、ドラム支持側パイプ１８の外周には、下部から中央部にかけて雄ネジが形成されている。そして、その雄ネジ部の外周には調節ナット１９が螺合されている。ドラム支持側パイプ１８の上端部外周には環状体２０が固定され、その環状体２０には三本の支持アーム２１が回動可能に支持され、そのステー２２の他端部は、ドラム支持側パイプ１８外周でかつ調節ナット１９より上方に配置された環状体２３に対して回動可能に構成されている。環状体２３はドラム支持側パイプ１８に対して上下移動可能に効されている。【００１４】本考案の効果について説明する。図２は従来のドラムスタンドを用いて、ドラムＳＤを設置した例である。図３は、図２の状態からドラムＳＤの角度を調整した例であるが、このとき、打点ＤＴがスタンド本体部２に対して移動しているのが分かる。演奏者は、スタンド全体を動かすか、ロッド２４の位置を調整する（登録実用新案第３０１４４８３号）などして、再び水平方向に打点ＤＴの位置を調整しなければならない。
対して、図４と図５の本考案の実施例においては、ドラムの角度が変わっても、打点ＤＴが、スタンド本体部２に対して動いていないことが分かる。このため演奏者が、角度調整後に再び水平方向に打点ＤＴの位置を調整する必要が無い。【００１５】スタンド本体部２、ドラム保持部４は公知のものである。本考案の独自性は角度調節部３によるものであるので、スタンド本体部２、ドラム保持部３は、他の構成に変えることも可能である。
【符号の説明】
【００１６】  １  ドラムスタンド
２  スタンド本体部
３  角度調節部
４  ドラム保持部
１３  回動部材ガイド部
１４  回動部材
１５  蝶ナット
１６  接続アーム
１７  ストッパー
ＳＤ  ドラムとしてのスネアドラム
ＤＴ  ドラム打面ヘッドの中心点
ＫＴ  従来例における角度調整の回転の中心点
【図１】
0003150441.tif 000003
【図２】
0003150441.tif 000004
【図３】
0003150441.tif 000005
【図４】
0003150441.tif 000006
【図５】
0003150441.tif 000007